(57)【要約】【課題】  本考案は、使用済みペッボトルを有効利用し、安価で且つ苗を傷めることなく容易に植え付けることができ、更にデザイン性にも優れたハンギングバスケットを提供する。【解決手段】  使用済みペットボトルの下側を周方向に輪切りにし、キャップが設けられる上側をキャップ８が下側になるように配置すると共に、ペットボトルの側面に、輪切りにした開口部５に開口した縦長の切抜部３を設けたバスケット本体１と、バスケット本体１の縦長の切抜部３に対し、バスケット本体１の内側から切抜部３を覆うように取り付けられ、縦方向に切れ目が設けられた縦長のスポンジ４と、使用済みペットボトルの胴部を所定幅に周方向に輪切りにし、バスケット本体１の上部開口部５の外周に直接又は間接的に取り付ける補強部材２と、バスケット本体１の上部開口部付近と補強部材２のそれぞれに、引掛部材１０を通すための引掛孔７、６と、を備える。【選択図】図２
0003134657.tif 000002
【実用新案登録請求の範囲】
【請求項１】
使用済みのペットボトルの下側を周方向に輪切りにし、キャップが設けられる上側をキャップが下側になるように配置すると共に、ペットボトルの側面に、輪切りにした開口部に開口した縦長の切抜部を設けたバスケット本体と、
前記バスケット本体の縦長の切抜部に対し、前記バスケット本体の内側から前記切抜部を覆うように取り付けられ、縦方向に切れ目が設けられた縦長のスポンジと、
使用済みのペットボトルの胴部を所定幅に周方向に輪切りにし、前記バスケット本体の上部開口部の外周に直接又は間接的に取り付ける補強部材と、
前記バスケット本体の上部開口部付近と前記補強部材のそれぞれに、引掛部材を通すための引掛孔と、
を備えたことを特徴とするハンギングバスケット。
【請求項２】
前記バスケット本体と前記補強部材は、同じ使用済みのペットボトルから構成されることを特徴とする請求項１記載のハンギングバスケット。
【請求項３】
前記バスケット本体の全体を覆う耐水性があり直射光を防ぐ材質からなるカバ−と、該カバ−を取り付けた状態でその外周を１又は複数箇所で結んで固定する紐とを備え、
前記カバ−で前記バスケット本体の全体を覆い、その覆った状態で、前記紐により前記カバ−の外周を１又は複数箇所で結んで固定すると共に、前記補強部材を前記カバ−の外周に取り付け固定することを特徴とする請求項１記載のハンギングバスケット。
【考案の詳細な説明】
【技術分野】
【０００１】  本考案は、使用済のペットボトルを有効に利用したハンギングバスケットに関するものである。
【背景技術】
【０００２】  従来の壁掛けタイプのハンギングバスケットとしては、ワイヤ−と椰子繊維のシ−トで構成したものが一般的に使用されている。図８に示すように、従来のハンギングバスケットは、バスケット本体１７をワイヤ−で格子状に構成し、又椰子繊維で出来たシ−ト１８をバスケット本体１７の内側に配置して、そのシ−ト１８の必要な箇所にカッタ−や鋏で花等の苗を植え付けする為の切れ目１９を入れる。
【考案の開示】
【考案が解決しようとする課題】
【０００３】  この様な従来のワイヤ−と椰子繊維のシ−トで構成されたハンギングバスケットにあっては、椰子の繊維のシ−トが堅い為、カッタ−や鋏で切れ目を入れる作業が煩雑であった。また植え付ける際に苗を傷めない様に切れ目を大きくすることも出来るが、切れ目を大きくすると土がこぼれれやすくなり、逆に土がこぼれないように切れ目を小さくすると、根を小さく切り取ったり、小さい苗を植え付ける事に限られ、製作上の自由度が低かった。また高価であった。【０００４】  本考案は、上記問題点に鑑みてなされたもので、使用済みのペットボトルを有効利用し、安価で且つ苗を傷めることなく容易に植え付けることができ、更にデザイン性にも優れたハンギングバスケットを提供することを目的とする。
【課題を解決するための手段】
【０００５】  上記目的を達成するため本考案にあっては、使用済みのペットボトルの下側を周方向に輪切りにし、キャップが設けられる上側をキャップが下側になるように配置すると共に、ペットボトルの側面に、輪切りにした開口部に開口した縦長の切抜部を設けたバスケット本体と、バスケット本体の縦長の切抜部に対し、バスケット本体の内側から切抜部を覆うように取り付けられ、縦方向に切れ目が設けられた縦長のスポンジと、使用済みのペットボトルの胴部を所定幅に周方向に輪切りにし、バスケット本体の上部開口部の外周に直接又は間接的に取り付ける補強部材と、バスケット本体の上部開口部付近と補強部材のそれぞれに、引掛部材を通すための引掛孔と、を備えたことを特徴とする。【０００６】  また本考案は、バスケット本体と補強部材は、同じ使用済みのペットボトルから構成されることを特徴とする。【０００７】  更に本考案は、バスケット本体の全体を覆う耐水性があり直射光を防ぐ材質からなるカバ−と、該カバ−を取り付けた状態でその外周を１又は、複数箇所で結んで固定する紐とを備え、カバ−でバスケット本体の全体を覆い、その覆った状態で、紐によりカバ−の外周を１又は複数箇所で結んで固定すると共に、補強部材をカバ−の外周に取り付け固定することを特徴とする。
【考案の効果】
【０００８】  使用済みのペットボトルを有効利用でき、更にそのため安価に構成できる。縦長のスポンジに設けられた、縦方向の切れ目に沿って苗を植え付けられるので、苗を傷めることなく、根の大きな苗であっても容易に植え付けることができ、製作上の自由度を高める事ができる。また同じ使用済みのペットボトルからバスケット本体と補強部材を切り取り分解し、組み立てることで、更に有効利用できる。【０００９】  紐と補強部材をペットボトル外周に取り付け固定し補強することで、ペットボトル製の本体の膨らみが抑止でき、土がこぼれることも防止できる。またバスケット本体の全体を麻布等の耐水性があり、且つ直射光を防ぐ材質からなるカバ−で覆うことで、用土や根に直射光が当たることを防ぐことが出来ると共に、ペットボトル全体が外から見えず、デザイン性にも優れたものとなる。
【考案を実施するための最良の形態】
【００１０】  以下に、本考案の実施形態について、図１〜図７を参照しながら具体的に説明する。
１はバスケット本体であり、図５に示すように、使用済みのペットボトル下側をカッタ−や鋏で周方向に輪切りにし、キャップ８が設けられる上側を、キャップ８が下になるように配置する。ペットボトルで構成されるバスケット本体１の側面には、図１に示すように、輪切りにした開口部５に開口した縦長の切抜部３が、カッタ−や鋏で切り抜き設けられる。図１に示すように、キャップ８には、複数の水抜孔９が設けられる。【００１１】  ２は、リング状の補強部材であり、図５に示すように、使用済みのペットボトルの胴部を所定幅に周方向に輪切りにしたものであり、バスケット本体１の開口部５に開口される切抜部３の広がりを抑えるため、図２、図３に示すように、バスケット本体１の上部、開口部５の外周に直接又は間接的に取り付け固定するものである。図５に示すように、使用済みのペットボトルの底部１４を周方向に輪切りにし、所定幅をあけて周方向に輪切りにすることで、キャップ８が設けられる方をバスケット本体１とし、残りの所定幅部分を補強部材２とすることが出来る。このように、同じ使用済みペットボトルから、バスケット本体１と補強部材２を切り取り利用することで、補強部材２を開口部５の外周に隙間なく取り付けることが出来ると共に、使用済みペットボトルを有効に利用できる。【００１２】  ４は、縦長のスポンジであり、図１に示すように、バスケット本体１の側面に設けられる縦長の切抜部３より大きめに形成され、内側から切抜部３を覆うように、両面テ−プや接着剤等でバスケット本体１の内面に取り付けられるものである。スポンジ４には、苗を傷めることなく、根の大きな苗であっても容易に植え込むことが出来るようにするため、中心付近に縦方向の切れ目１１が形成されている。切れ目１１は、上方から苗を植え付けられるようにするため上方側が貫通している。【００１３】  図１に示すように、バスケット本体１の上部、開口部５付近には引掛孔７が、開口部５の外周に取り付ける補強部材２には引掛孔６が、それぞれ設けられ、図２、図４に示すように、補強部材２の取り付け状態で引掛孔６、７の位置が一致するため引掛部材１０を通すことが出来る。尚、引掛孔は６、７は複数設けてもよい。また引掛部材としては、フック状の金具の他釘又は紐状の物を使用することができる。【００１４】  図３に示すように、１２はカバ−であり、バスケット本体１の全体を覆う大きさであると共に、耐水性があり直射光を防ぐ材質からなり、カバ−１２は、バスケット本体１に取り付けられた状態でその外周を紐１３ａ、１３ｂ、１３ｃで結んで固定される。カバ−１２として、麻布や和紙を使用することで、ペットボトルから構成されるバスケット本体１内に入れられる用土や苗の根に直射光が当たり、苗の根を傷める事を防ぐことが出来ると共に、デザイン性にも優れたものになる。また紐１３として、麻紐等を使用し、外周を結んで固定することで、バスケット本体内に用土や苗を入れた時のペットボトル製の本体１の膨らみを抑えることが出来ると共にカバ−１２とマッチすることでデザイン性にも優れたものになる。【００１５】  図４の断面側面図に示したように、引掛部材１０は、バスケット本体１の引掛孔７と補強部材２の引掛孔６を通すこと��なる。このように引掛孔は二重に補強されていることから、バスケット本体１に用土が入って重くなっも、引掛孔６、７の周辺は壊れない。【００１６】  次に図６を使い、苗を植え付ける工程について説明する。尚ここでは、工程を理解し易くするため、カバ−１２を取り付けない状態で説明する。
図６（Ａ）に示すように、先ずバスケット本体１に、用土１５を切抜部３の下の所まで入れ、最初の苗１６をスポンジ４の切れ目１１に沿って上方から下方まで入れて植え付ける。次に図６（Ｂ）に示すように、最初の苗１６の上に用土を少し入れ、次の苗１６をスポンジ４の切れ目１１に沿って上方から中央上部付近まで入れて植え付ける。
最後に図６（Ｃ）に示すように、バスケット本体１の切抜部３が広がるのを抑止するための補強部材２を開口部５外周に取り付け、最上部の苗を植え付ける。【００１７】  図７は、バスケット本体１の全体を麻布製のカバ−１２で覆い、外周を紐１３で３箇所結び、カバ−１２の上から開口部５の外周に補強部材２を取り付け、ハンギングバスケットの最上部まで苗を植え付け、完成した図である。【００１８】  次にハンギングバスケット全体の製作工程を説明する。
図５に示すように、先ず使用済みペットボトルの底部１４を周方向に輪切りに切り落とし、次に所定幅をあけて周方向に輪切りにすることで補強部材２とバスケット本体１を製作する。次に本体１の側面に図１に示すように、開口部５に開口した縦長の切抜部３を作り、次にその切抜部３を覆うように内側から縦長のスポンジ４を取り付ける。次に補強部材２と本体１に引掛孔６、７、キャップ８に水抜孔９を設ける。【００１９】  次に本体１全体を、両面テ−プ等を使い麻布等のカバ−１２で図３に示すように覆う。次にスポンジ４の切れ目１１に沿って、カバ−１２にも切れ目を入れ苗を植え付けられるようにする。次に麻紐１３ａ、１３ｂを結ぶ。【００２０】  図６（Ａ）に示すように、用土１５を麻紐１３ｂの所まで入れ、最初の苗１６をスポンジ４の切れ目１１に沿って開口部５側から麻紐１３ｂの所まで入れて植え付け、苗１６の根が隠れるように用土１５を入れ、麻紐１３ｃを結ぶ。【００２１】  次に図６（Ｂ）に示すように、次の苗１６も同様に麻紐１３ｃの所まで入れて植え付け、その根元が隠れる程度の用土１５を入れる。【００２２】  次に図６（Ｃ）に示すように、上部開口部５をカバ−１２も含めて軽く押し狭め、補強部材２をバスケット本体１の開口部５の外周にカバ−１２の上から取り付ける。最後に、最上部の苗１６を植え付けることで図７に示すように完成する。この完成状態で、壁等に取り付けてある引掛部材１０の先端を、引掛孔６、７に通すことで、ハンギングバスケットを壁に掛ける事が出来る。【００２３】  尚、本発明のハンギングバスケットにあっては、図３、図７に示すように、カバ−１２でバスケット本体１全体を覆う形態の他、図２、図６（Ｃ）に示すように、カバ−１２を覆わなくても使用可能である。
【図面の簡単な説明】
【００２４】
【図１】本考案の、ハンギングバスケットの全体図である。
【図２】全部材を組み立てた斜視図である。
【図３】本体に麻布、麻紐を取り付けた斜視図である。
【図４】図２に引掛部材を取り付けた、断面側面図である。
【図５】使用済みのペットボトルからバスケット本体と補強部材を切り離す最初の工程図である。
【図６】苗を植え付ける工程図である。
【図７】完成したハンギングバスケットに、苗を植え込んだ図である。
【図８】従来のハンギングバスケットである。
【符号の説明】
【００２５】    １  バスケット本体
２  補強部材
３  切抜部
４  スポンジ
５  開口部
６  補強部材の引掛孔
７  本体の引掛孔
８  キャップ
９  水抜孔
１０  引掛部材
１１  スポンジの切れ目
１２  外装のカバ−（麻布製）
１３  紐（麻製）
１４  ペットボトルの底部
１５  用土
１６  苗
１７  ワイヤ−製のバスケット
１８  椰子繊維のシ−ト
１９  切れ目
【図１】
0003134657.tif 000003
【図２】
0003134657.tif 000004
【図３】
0003134657.tif 000005
【図４】
0003134657.tif 000006
【図５】
0003134657.tif 000007
【図６】
0003134657.tif 000008
【図７】
0003134657.tif 000009
【図８】
0003134657.tif 000010